【手続補正書】
【提出日】平成24年8月17日(2012.8.17)
【手続補正１】
【補正対象書類名】特許請求の範囲
【補正対象項目名】全文
【補正方法】変更
【補正の内容】
【特許請求の範囲】
【請求項１】
表示手段と入力手段とを備えるユーザインタフェースと、
前記表示手段に入力画面を表示させて診療に関わる情報を管理するプログラムを実行する医用プログラム実行手段と、
前記入力画面に対する各操作者の操作内容に基づいて操作評価値を順次算出する評価値算出手段と、
分析種別、前記算出された前記操作評価値、及び操作の統計情報を基に操作内容の分析を行う操作内容分析手段と、
前記操作内容の分析結果を操作者に通知する分析レポート通知手段と、
を備えることを特徴とする医用情報装置。
【請求項２】
前記操作内容分析手段は、
前記入力画面毎に前記操作評価値の項目に対する閾値を予め記憶している分析支援データ記憶手段と、
前記分析種別それぞれにおける前記入力画面毎に、前記分析支援データ記憶手段に記憶されている閾値を基に、改善すべき前記操作評価値の項目である改善項目を特定する改善項目特定手段と、
前記分析種別毎における、前記入力画面毎に表示される少なくとも医用情報を含む表示項目、前記表示項目毎にその表示項目を対象とする操作を簡便にするための改善処理内容を記憶している改善処理特定データ記憶手段と、
前記改善処理特定データ記憶手段から前記特定された改善項目を改善可能な前記改善処理内容の対象となる前記表示項目を特定する改善処理特定手段と、
を備え、
前記分析レポート通知手段は、前記特定された表示項目を対象とする前記改善処理内容を操作者に通知する、
を備えることを特徴とする請求項１に記載の医用情報装置。
【請求項３】
前記改善処理特定データ記憶手段は、前記表示項目の使用に関する操作の統計情報を予め記憶しており、
前記改善処理特定手段は、前記特定した前記表示項目を基に前記改善処理特定データ記憶手段に記憶されている統計情報を参照して、有効な前記改善処理内容の対象となる前記表示項目を特定する、
ことを特徴とする請求項２に記載の医用情報装置。
【請求項４】
前記改善処理特定手段は、前記改善処理内容と前記改善処理内容により改善可能な前記操作評価値の項目との対応を記憶しており、その記憶している対応を基に前記改善項目に対応する前記操作評価置の項目を改善可能な前記改善処理内容を特定し、該特定した改善処理内容の対象となる前記表示項目を前記改善処理特定データ記憶手段から特定する、ことを特徴とする請求項２又は請求項３に記載の医用情報装置。
【請求項５】
前記分析支援データ記憶手段は、前記入力画面毎に前記操作評価値の項目それぞれに対する基準値をさらに記憶しており、
前記改善項目特定手段は、前記分析種別それぞれにおける前記入力画面毎に前記分析支援データ記憶手段に記憶されている基準値を前記算出した前記操作評価値との比較した結果に基づいて、前記操作評価値の項目を改善項目として特定する、
ことを特徴とする請求項２乃至請求項４のいずれか一つに記載の医用情報装置。
【請求項６】
前記入力画面は１つ又は複数の操作領域で構成されており、
前記操作領域毎に前記操作内容を記憶する操作内容記憶手段を備え、
評価値算出手段は、前記操作領域毎に前記操作評価値を算出し、
前記改善処理特定データ記憶手段は、前記操作領域毎に各情報を記憶しており、
前記改善処理特定手段は、前記操作領域毎に有効な改善処理を特定する、
ことを特徴とする請求項２乃至請求項５のいずれか一つに記載の医用情報装置。
【請求項７】
前記改善処理は複数の医用情報を１つの組み合わせとして扱わせる処理である組合せ処理を含み、
前記改善処理特定手段は、
前記改善処理特定データ記憶手段から前記組合せ処理の対象となる医用情報を抽出し、さらに、前記改善処理特定データ記憶手段に記憶されている、前記抽出した前記医用情報の使用頻度を基に、前記組合せ処理の対象となっていない前記医用情報の組み合わせを構成する前記医用情報のそれぞれが同時に使用される使用頻度が高い前記医用情報を使用履歴を基に特定し、前記特定した前記医用情報の組み合わせに組合せ処理を設定した場合の前記操作評価値の改善量を算出し、また、既に設定されている組合せ処理の使用頻度を基に使用頻度が低い組合せ処理を特定し、前記特定した組合せ処理の設定を解除した場合の前記操作評価値の改悪量を算出し、前記改善量が前記改悪量を上回っている場合に、前記特定した前記医用情報の組み合わせへの組合せ処理の設定を有効な改善処理と特定する、
ことを特徴とする請求項２乃至請求項６のいずれか一つに記載の医用情報装置。
【請求項８】
前記改善処理は特定の表示項目を１回の選択で選択可能にする処理であるショートカットを含み、
前記改善処理特定手段は、
前記改善項目が前記ショートカットにより改善可能な操作評価値の項目に一致するときに、前記改善処理特定データ記憶手段から前記ショートカットの対象となる表示項目を抽出し、さらに、前記改善処理特定データ記憶手段に記憶されている、前記抽出した前記表示項目の使用頻度を基に、前記ショートカットの対象となっていない前記表示項目のうち使用頻度が高い前記表示項目を特定し、前記特定した前記表示項目にショートカットを設定した場合の前記操作評価値の改善量を算出し、また、既に設定されているショートカットの使用頻度を基に使用頻度が低いショートカットを特定し、前記特定したショートカットの設定を解除した場合の前記操作評価値の改悪量を算出し、前記改善量が前記改悪量を上回っている場合に、前記特定した前記表示項目の組み合わせへのショートカットの設定を有効な改善処理と特定する、
ことを特徴とする請求項２乃至請求項７のいずれか一つに記載の医用情報装置。
【請求項９】
前記改善処理は前記入力画面における操作領域の配置を変更する処理である位置変更処理を含み、
前記改善処理特定データ記憶手段は、
前記入力画面における前記操作領域の配置が異なるテンプレートを前記配置毎に記憶し、
前記改善処理特定手段は、
前記改善項目が前記位置変更処理により改善可能な前記操作評価値の項目に一致するときに、前記改善処理特定データ記憶手段に記憶されている前記テンプレートを参照し、前記表示項目である前記操作領域の使用履歴を基に、使用頻度の高い前記操作領域の使用の順番を特定し、各前記テンプレートにおいて、前記特定した順番で操作を行った場合の前記操作評価値を算出し、該算出した前記操作評価値が前記改善項目と比較して改善されている前記テンプレートを抽出し、前記抽出した前記テンプレートにおける前記操作領域の配置への変更を有効な改善処理と特定する、
ことを特徴とする請求項２乃至請求項８のいずれか一つに記載の医用情報装置。
【請求項１０】
前記評価値算出手段は、指定された期間における前記操作内容の前記操作評価値を算出することを特徴とする請求項１乃至請求項９のいずれか一つに記載の医用情報装置。
【請求項１１】
前記分析種別は、少なくとも操作者別、診療科別、診療曜日別、又は診療時間別のいずれか一つを含むことを特徴とする請求項１乃至請求項１０のいずれか一つに記載の医用情報装置。
【請求項１２】
前記操作評価値は、少なくともマウスボタンの押下、マウスホイールの操作、マウスの移動、キー入力のいずれか一つを含むことを特徴とする請求項１乃至請求項１１のいずれか一つに記載の医用情報装置。
【請求項１３】
表示手段と入力手段とを備えるユーザインタフェースと、
前記表示手段に入力画面を表示させて診療に関わる情報を管理するプログラムを実行する医用プログラム実行手段と、
過去の各前記入力画面に対する各操作者の操作内容を記憶する操作内容記憶手段と、
各前記操作の改善の要否を評価するための操作内容に対応する操作評価値の項目、及び分析種別を予め記憶しており、前記操作内容記憶手段を参照し前記分析種別毎に各前記入力画面における前記各操作内容の前記操作評価値を順次算出する評価値算出手段と、
前記入力画面毎に前記操作評価値の項目それぞれに対する閾値を予め記憶している分析支援データ記憶手段と、
前記分析種別それぞれにおける前記入力画面毎に、前記分析支援データ記憶手段に記憶されている閾値を基に、改善すべき前記操作評価値の項目である改善項目を特定する改善項目特定手段と、
前記入力画面毎に表示される複数の医用情報を１つの組み合わせとして１つの操作で扱わせる処理である組合せ処理を、指定された前記医用情報の組み合わせに対して設定する組合せ処理設定手段と、
前記分析種別における、前記組合せ処理の対象となる医用情報、前記医用情報の使用履歴、各前記医用情報の使用頻度、前記組合せ処理設定手段により既に設定されている前記組合せ処理の対象となっている前記医用情報、及び前記既に設定されている前記組合せ処理の使用頻度、を予め記憶している改善処理特定データ記憶手段と、
前記組合せ処理により改善可能な前記操作評価値の項目を記憶しており、前記改善項目が前記改善可能な前記操作評価値の項目に一致するときに、前記改善処理特定データ記憶手段から前記組合せ処理の対象となる医用情報を抽出し、さらに、前記改善処理特定データ記憶手段に記憶されている前記抽出した医用情報の使用頻度及び使用履歴を基に、前記組合せ処理の対象とされていない前記医用情報の組み合わせを構成する医用情報のそれぞれが同時に使用される使用頻度が高い前記医用情報の組み合わせを特定し、前記特定した前記医用情報の組み合わせに組合せ処理を設定した場合の前記操作評価値の改善量を算出し、また、前記既に設定されている組合せ処理の使用頻度を基に使用頻度が低い組合せ処理を特定し、前記使用頻度が低い組合せ処理の設定を解除した場合の前記操作評価値の改悪量を算出し、前記改善量が前記改悪量を上回っている場合に、前記特定した同時に使用される使用頻度が高い前記医用情報の組み合わせへの組合せ処理の設定を有効な組合せ処理と特定する改善処理特定手段と、
前記有効と判断された前記組合せ処理を操作者に通知する分析レポート通知手段と、
を備えることを特徴とする医用情報装置。
【請求項１４】
表示部に入力画面を表示させて診療に関わる情報を管理するプログラムを実行する医用プログラム実行段階と、
操作者が前記入力画面への操作の入力を行う操作入力段階と、
前記入力画面に対する各操作者の操作内容に基づいて分析種別毎に各前記入力画面における前記各操作内容の操作評価値を順次算出する評価値算出段階と、
分析種別、前記算出された前記操作評価値、及び操作の統計情報を基に操作内容の分析を行う操作内容分析段階と、
前記操作内容の分析結果を操作者に通知する分析レポート通知段階と、
を有することを特徴とする医用情報分析方法。
【手続補正２】
【補正対象書類名】明細書
【補正対象項目名】０００９
【補正方法】変更
【補正の内容】
【０００９】
上記目的を達成するために、請求項１に記載の医用情報装置は、表示手段と入力手段とを備えるユーザインタフェースと、前記表示手段に入力画面を表示させて診療に関わる情報を管理するプログラムを実行する医用プログラム実行手段と、前記入力画面に対する各操作者の操作内容に基づいて操作評価値を順次算出する評価値算出手段と、分析種別、前記算出された前記操作評価値、及び操作の統計情報を基に操作内容の分析を行う操作内容分析手段と、前記操作内容の分析結果を操作者に通知する分析レポート通知手段と、を備えることを特徴とするものである。
【手続補正３】
【補正対象書類名】明細書
【補正対象項目名】００１１
【補正方法】変更
【補正の内容】
【００１１】
請求項１４に記載の医用情報分析方法は、表示部に入力画面を表示させて診療に関わる情報を管理するプログラムを実行する医用プログラム実行段階と、操作者が前記入力画面への操作の入力を行う操作入力段階と、前記入力画面に対する各操作者の操作内容に基づいて分析種別毎に各前記入力画面における前記各操作内容の操作評価値を順次算出する評価値算出段階と、分析種別、前記算出された前記操作評価値、及び操作の統計情報を基に操作内容の分析を行う操作内容分析段階と、前記操作内容の分析結果を操作者に通知する分析レポート通知段階と、を有することを特徴とするものである。